(57)【要約】１つの方法は、隣接セルに関連する情報を、その情報を参照するチェンジ・マーク値を各々含む複数のメッセージ・インスタンスに分散させることと、その複数のメッセージ・インスタンスを送信することと、を含む。【選択図】図４
2008547249.tif 000002
【特許請求の範囲】
【請求項１】
隣接セルに関連する情報を、前記情報を参照するチェンジ・マーク値を各々含む複数のメッセージ・インスタンスに分散させることと、
前記複数のメッセージ・インスタンスを送信することと、
を含む方法。
【請求項２】
前記複数のメッセージ・インスタンスの各々はMBMS隣接セル情報（MNCI）メッセージを含む、請求項1の方法。
【請求項３】
前記複数のメッセージ・インスタンスの各々は少なくとも１つの周波数リストを含む、請求項1の方法。
【請求項４】
前記少なくとも１つの周波数リストは周波数リスト構造を含む、請求項3の方法。
【請求項５】
前記周波数リスト構造は、周波数リスト番号フィールド、周波数リスト・コンテンツの長さフィールド、及び周波数リスト・コンテンツ・フィールドのうちの少なくとも１つを含む、請求項4の方法。
【請求項６】
前記複数のメッセージ・インスタンスの各々は少なくとも１つの周波数パラメータ構造を含む、請求項1の方法。
【請求項７】
前記少なくとも１つの周波数パラメータ構造は、絶対無線周波数チャネル番号（ARFCN）フィールド、モバイル・アロケーション・インデックス・オフセット（MAIO）フィールド、ホッピング・シーケンス番号（HSN）フィールド、及び周波数リスト番号フィールドのうちの少なくとも１つを含む、請求項6の方法。
【請求項８】
複数のメッセージ・インスタンスに分散させられた隣接セルに関連する情報を参照するチェンジ・マーク値を各々含む前記複数のメッセージ・インスタンスを受け取ることと、
前記情報を統合するために前記チェンジ・マーク値を使用することと、
を含む方法。
【請求項９】
前記複数のメッセージ・インスタンスの各々はMBMS隣接セル情報（MNCI）メッセージを含む、請求項8の方法。
【請求項１０】
前記複数のメッセージ・インスタンスの各々は少なくとも１つの周波数リストを含む、請求項8の方法。
【請求項１１】
前記少なくとも１つの周波数リストは周波数リスト構造を含む、請求項10の方法。
【請求項１２】
前記周波数リスト構造は、周波数リスト番号フィールド、周波数リスト・コンテンツの長さフィールド、及び周波数リスト・コンテンツ・フィールドのうちの少なくとも１つを含む、請求項11の方法。
【請求項１３】
前記複数のメッセージ・インスタンスの各々は少なくとも１つの周波数パラメータ構造を含む、請求項8の方法。
【請求項１４】
前記少なくとも１つの周波数パラメータ構造は、絶対無線周波数チャネル番号（ARFCN）フィールド、モバイル・アロケーション・インデックス・オフセット（MAIO）フィールド、ホッピング・シーケンス番号（HSN）フィールド、及び周波数リスト番号フィールドのうちの少なくとも１つを含む、請求項13の方法。
【請求項１５】
移動端末装置であって、
トランシーバと、
前記トランシーバに結合されたプロセッサと、
前記プロセッサにより実行可能な命令のセットを格納するために前記プロセッサに結合されたメモリとを含み、複数のメッセージ・インスタンスに分散させられた隣接セルに関連する情報を参照するチェンジ・マーク値を各々含む前記複数のメッセージ・インスタンスを受け取り、前記情報を統合するために前記チェンジ・マーク値を使用する、移動端末装置。
【請求項１６】
前記複数のメッセージ・インスタンスの各々はMBMS隣接セル情報（MNCI）メッセージを含む、請求項15の移動端末装置。
【請求項１７】
前記複数のメッセージ・インスタンスの各々は少なくとも１つの周波数リストを含む、請求項15の移動端末装置。
【請求項１８】
前記少なくとも１つの周波数リストは周波数リスト構造を含む、請求項17の移動端末装置。
【請求項１９】
前記周波数リスト構造は、周波数リスト番号フィールド、周波数リスト・コンテンツの長さフィールド、及び周波数リスト・コンテンツ・フィールドのうちの少なくとも１つを含む、請求項18の移動端末装置。
【請求項２０】
前記複数のメッセージ・インスタンスの各々は少なくとも１つの周波数パラメータ構造を含む、請求項15の移動端末装置。
【請求項２１】
前記少なくとも１つの周波数パラメータ構造は、絶対無線周波数チャネル番号（ARFCN）フィールド、モバイル・アロケーション・インデックス・オフセット（MAIO）フィールド、ホッピング・シーケンス番号（HSN）フィールド、及び周波数リスト番号フィールドのうちの少なくとも１つを含む、請求項20の移動端末装置。
【請求項２２】
情報担持媒体において有形に具体化されデジタル・データ処理装置により実行可能な機械可読命令のプログラムであって、
隣接セルに関連する情報を、前記情報を参照するチェンジ・マーク値を各々含む複数のメッセージ・インスタンスに分散させることと、
前記複数のメッセージ・インスタンスを送信することと、
を含む動作を実行する、プログラム。
【請求項２３】
前記複数のメッセージ・インスタンスの各々はMBMS隣接セル情報（MNCI）メッセージを含む、請求項22のプログラム。
【請求項２４】
前記複数のメッセージ・インスタンスの各々は少なくとも１つの周波数リストを含む、請求項22のプログラム。
【請求項２５】
前記少なくとも１つの周波数リストは周波数リスト構造を含む、請求項24のプログラム。
【請求項２６】
前記周波数リスト構造は、周波数リスト番号フィールド、周波数リスト・コンテンツの長さフィールド、及び周波数リスト・コンテンツ・フィールドのうちの少なくとも１つを含む、請求項25のプログラム。
【請求項２７】
前記複数のメッセージ・インスタンスの各々は少なくとも１つの周波数パラメータ構造を含む、請求項22のプログラム。
【請求項２８】
前記少なくとも１つの周波数パラメータ構造は、絶対無線周波数チャネル番号（ARFCN）フィールド、モバイル・アロケーション・インデックス・オフセット（MAIO）フィールド、ホッピング・シーケンス番号（HSN）フィールド、及び周波数リスト番号フィールドのうちの少なくとも１つを含む、請求項27のプログラム。
【請求項２９】
情報担持媒体において有形に具体化されデジタル・データ処理装置により実行可能な機械可読命令のプログラムであって、
複数のメッセージ・インスタンスに分散させられた隣接セルに関連する情報を参照するチェンジ・マーク値を各々含む前記複数のメッセージ・インスタンスを受け取ることと、
前記情報を統合するために前記チェンジ・マーク値を使用することと、
を含む動作を実行する、プログラム。
【請求項３０】
前記複数のメッセージ・インスタンスの各々はMBMS隣接セル情報（MNCI）メッセージを含む、請求項29のプログラム。
【請求項３１】
前記複数のメッセージ・インスタンスの各々は少なくとも１つの周波数リストを含む、請求項29のプログラム。
【請求項３２】
前記少なくとも１つの周波数リストは周波数リスト構造を含む、請求項31のプログラム。
【請求項３３】
前記周波数リスト構造は、周波数リスト番号フィールド、周波数リスト・コンテンツの長さフィールド、及び周波数リスト・コンテンツ・フィールドのうちの少なくとも１つを含む、請求項32のプログラム。
【請求項３４】
前記複数のメッセージ・インスタンスの各々は少なくとも１つの周波数パラメータ構造を含む、請求項29のプログラム。
【請求項３５】
前記少なくとも１つの周波数パラメータ構造は、絶対無線周波数チャネル番号（ARFCN）フィールド、モバイル・アロケーション・インデックス・オフセット（MAIO）フィールド、ホッピング・シーケンス番号（HSN）フィールド、及び周波数リスト番号フィールドのうちの少なくとも１つを含む、請求項5のプログラム。
【請求項３６】
ネットワーク要素であって、前記ネットワーク要素は、
無線トランシーバと、
前記無線トランシーバに結合されたプロセッサと、
前記プロセッサにより実行可能な命令のセットを格納するために前記プロセッサに結合されたメモリとを含み、前記命令のセットは、情報を参照するチェンジ・マーク値を各々含む複数のMBMS隣接セル情報（MNCI）メッセージ・インスタンスのうちの１つに前記情報の全てが収まらなければ前記情報を前記複数のMBMS隣接セル情報（MNCI）メッセージ・インスタンスに分散させ、前記複数のMNCIメッセージ・インスタンスを送信するためのものである、ネットワーク要素。
【請求項３７】
情報の全てが１つのマルチメディア・ブロードキャスト／マルチキャスト・サービス（MBMS）隣接セル情報（MNCI）メッセージに収まらなければ前記情報を複数のMNCIメッセージに分散させることを含む方法であって、
前記複数のMNCIメッセージの各々は、
前記情報についてのチェンジ・マーク値と、
周波数リスト番号、トレーニング・シーケンス・コード（TSC）、絶対無線周波数チャネル番号（ARFCN）、モバイル・アロケーション・インデックス・オフセット（MAIO）、及びホッピング・シーケンス番号（HSN）を含むMBMS p-t-m周波数パラメータ構造と、
前記周波数リスト番号、周波数リスト・コンテンツの長さフィールド、及び周波数リスト・コンテンツ・フィールドを含むMBMS周波数構造リストと、
を含む、方法。
【請求項３８】
情報が分散させてある複数のマルチメディア・ブロードキャスト／マルチキャスト・サービス（MBMS）隣接セル情報（MNCI）メッセージを受け取ることであって、その各々が、
前記情報についてのチェンジ・マーク値と、
周波数リスト番号、トレーニング・シーケンス・コード（TSC）、絶対無線周波数チャネル番号（ARFCN）、モバイル・アロケーション・インデックス・オフセット（MAIO）、及びホッピング・シーケンス番号（HSN）を含むMBMS p-t-m周波数パラメータ構造と、
前記周波数リスト番号、周波数リスト・コンテンツの長さフィールド、及び周波数リスト・コンテンツ・フィールドを含むMBMS周波数構造リストと、
を含む、前記受け取ることと、
前記複数のMNCIメッセージから前記情報を統合するために前記チェンジ・マーク値を使用することと、
を含む、方法。
【発明の詳細な説明】
【技術分野】
【０００１】
本発明の代表的で非限定的な実施形態は、一般的には無線デジタル通信システムに関し、特にGSM／EDGEセルラ通信システムに関する。
【背景】
【０００２】
本特許明細書には下記の略語が用いられ、次のように定義される。
ARFCN  Absolute Radio Frequency Channel Number（絶対無線周波数チャネル番号）
BSIC   Base Station Identity Code（基地局アイデンティティ・コード）
BSS    Base Station System（基地局システム）
EDGE   Enhanced Data rates for Global Evolution（エンハンスト・データ・レート・フォー・グローバル・エボリューション）
EGPRS  GPRS operating over EDGE（EDGE上で動作するGPRS）
GERAN  GSM／EDGE Radio Access Network（GSM／EDGE無線アクセス・ネットワーク）
GSM    Global System for Mobile Communications（汎ヨーロッパデジタル移動通信システム）
GPRS   General Packet radio Service（一般パケット無線サービス）
HSN    Hopping Sequence Number（ホッピング・シーケンス番号）
MAC    Medium Access Control（媒体アクセス制御）
MBMS   Multimedia Broadcast／Multicast Service（マルチメディア・ブロードキャスト／マルチキャスト・サービス）
MNCI   MBMS Neighboring Cell Information（MBMS隣接セル情報）
MAIO   Mobile Allocation Index Offset（モバイル・アロケーション・インデックス・オフセット）
PBCCH  Packet Broadcast Control Channel（パケット・ブロードキャスト制御チャネル）
PCU    Packet Control Unit（パケット制御ユニット）
RLC    Radio Link Control（無線リンク制御）
TSC    Training Sequence Code（トレーニング・シーケンス・コード）
【０００３】
（標準規格文書3GPP TS 44.060の初期バージョンに記載されている）MNCIメッセージはRLC／MAC制御メッセージである。明示されているように、このメッセージは分割されるべきでない。しかし、情報内容はMNCIメッセージの数個のインスタンス間で分割され得る。分割されていないRLC／MAC制御メッセージの長さは23オクテット（又は23＊8ビット＝184ビット）である。
【０００４】
MNCIメッセージで伝えられなければならない情報は下記のものを含む。
Ａ）サービング・セルに存するネイバー・リスト（neighbor list）を、また、もしそれがサービング・セルに設けられていない場合にはオプションとして隣接セルのBSICも参照することによる、隣接セルのアイデンティフィケーション。
Ｂ）TSCと、周波数ホッピングが適用されない場合には単一のARFCN、或いは周波数ホッピングが適用される場合には、周波数ホッピング・シーケンスにおいて適用されなければならない無線チャネルのセットを記述すARFCNのリスト；ホッピング・シーケンスがそこから開始されるところのインデックスを記述するMAIO、及び更なるホッピング・シーケンス生成パラメータを決定するHSNとによる、チャネルを記述する情報要素を含む周波数パラメータ。周波数ホッピングが適用される場合、パラメータは明示された方法（3GPP TS 44.060によるダイレクト2符号化フォーマット）で提供される。
Ｃ）同じ周波数パラメータを共有する１つ以上のMBMS p-t-m（ポイント・ツー・マルチポイント）ベアラのためのMBMS p-t-mベアラ・パラメータ。
Ｄ）隣接セルに１つが割り当てられている場合、そのPBCCHチャネルの記述。
【０００５】
MNCIメッセージは符号化されるので、MNCIメッセージがMBMS p-t-mベアラのためのパラメータを与えなければならないならば、周波数パラメータは同じMNCIメッセージ・インスタンスに含まれるように定められる。
【０００６】
しかし、周波数ホッピングが適用される場合には、ホッピング・シーケンスで使用される無線チャネルの量に依存して、すなわち、ホッピング・シーケンスで使用される無線チャネルのセットを記述するために必要とされる所要周波数リスト情報要素の長さに依存して、前記の要件は必ずしも全ての場合に満たされ得るわけではない。
【０００７】
（周波数ホッピングが使用されるとき）たとえ１つのMBMS p-t-mベアラについての情報を１つのメッセージに納めることが可能であったとしても、そのメッセージ符号化が始めに明示されたときの意図がそうであったように、同じ周波数パラメータを共有する隣接セルにおける数個のMBMS p-t-mベアラを単一のメッセージで表示することは困難に或いは不可能にさえなるであろう。従って、この場合には、そのメッセージの新しいインスタンスが必要とされ、同じ周波数パラメータをその中で再び符号化しなければならないであろうし、また情報の残りの部分のためにそのメッセージの別のもう一つのインスタンスを作らざるを得なくなるかもしれない。
【０００８】
要するに、MNCIメッセージを符号化するために以前に明示された技術には問題がある。特に、一定の場合にはそれを伝達するためにそれが作られたところの情報を伝達することが不可能であり、また、隣接セルにおいて数個のMBMS p-t-mベアラが確立された場合には、同じ周波数パラメータが繰り返し符号化される追加のMNCIメッセージ・インスタンスを作る必要がおそらく生じ、従ってそのMNCIメッセージの更に新しいインスタンスを作ることが必要になるかもしれない。更に、１つのMNCIメッセージの全てのインスタンスがMBMSデータのために容量を消費し、また、移動局が隣接セルについての情報の完全なセット（すなわち、その様なセルに向けられた全てのMNCIメッセージ）を持たない確率を増大させる。更に、隣接セルが幾つかあり、その全てのためにMNCIメッセージがネットワークによりMBMS p-t-mベアラで送信されなければならないかもしれないという代表的な場合には、MNCIメッセージの不要なインスタンスが複数個存在するためにもたらされる中継ロス（trunking loss）に、MNCIメッセージがそのために送られるところの隣接セルの個数が乗じられる。
【非特許文献１】3GPP TS 44.060（初期バージョン）
【概要】
【０００９】
この教示の代表的実施形態に従って、上記の及び他の問題が克服され、他の利点が実現される。
【００１０】
本発明の代表的実施形態に従う方法は、隣接セルに関連する情報を、その情報を参照するチェンジ・マーク値を各々含む複数のメッセージ・インスタンスに分散させることと、その複数のメッセージ・インスタンスを送信することとを含む。
【００１１】
本発明の他の代表的実施形態に従う方法は、複数のメッセージ・インスタンスに分散させられた隣接セルに関連する情報を参照するチェンジ・マーク値を各々含む前記複数のメッセージ・インスタンスを受け取ることと、前記情報を統合するために前記チェンジ・マーク値を使用することとを含む。
【００１２】
本発明の他の代表的実施形態に従う移動端末装置は、トランシーバと、前記トランシーバに結合されたプロセッサと、前記プロセッサにより実行可能な命令のセットを格納するために前記プロセッサに結合されたメモリとを含み、複数のメッセージ・インスタンスに分散させられた隣接セルに関連する情報を参照するチェンジ・マーク値を各々含む前記複数のメッセージ・インスタンスを受け取り、前記情報を統合するために前記チェンジ・マーク値を使用する。
【００１３】
本発明の他の代表的実施形態に従う、情報担持媒体において有形に具体化されデジタル・データ処理装置により実行可能な機械可読命令のプログラムは、隣接セルに関連する情報を、その情報を参照するチェンジ・マーク値を各々含む複数のメッセージ・インスタンスに分散させることと、その複数のメッセージ・インスタンスを送信することとを含む動作を実行する。
【００１４】
本発明の他の代表的実施形態に従う、情報担持媒体において有形に具体化されデジタル・データ処理装置により実行可能な機械可読命令のプログラムは、動作を実行するために、複数のメッセージ・インスタンスに分散させられた隣接セルに関連する情報を参照するチェンジ・マーク値を各々含む前記複数のメッセージ・インスタンスを受け取ることと、前記情報を統合するために前記チェンジ・マーク値を使用することとを含む。
【００１５】
本発明の他の代表的実施形態に従うネットワーク要素は、無線トランシーバと、前記無線トランシーバに結合されたプロセッサと、前記プロセッサにより実行可能な命令のセットを格納するために前記プロセッサに結合されたメモリとを含み、前記命令のセットは、情報を参照するチェンジ・マーク値を各々含む複数のMBMS隣接セル情報（MNCI）メッセージ・インスタンスのうちの１つに前記情報の全てが収まらなければ前記情報を前記複数のMBMS隣接セル情報（MNCI）メッセージ・インスタンスに分散させ、前記複数のMNCIメッセージ・インスタンスを送信するためのものである。
【００１６】
本発明の他の代表的実施形態に従う方法は、情報の全てが１つのマルチメディア・ブロードキャスト／マルチキャスト・サービス（MBMS）隣接セル情報（MNCI）メッセージに収まらなければ前記情報を複数のMNCIメッセージに分散させることを含み、前記複数のMNCIメッセージの各々は、前記情報についてのチェンジ・マーク値と、周波数リスト番号、トレーニング・シーケンス・コード（TSC）、絶対無線周波数チャネル番号（ARFCN）、モバイル・アロケーション・インデックス・オフセット（MAIO）、及びホッピング・シーケンス番号（HSN）を含むMBMS p-t-m周波数パラメータ構造と、前記周波数リスト番号、周波数リスト・コンテンツの長さフィールド、及び周波数リスト・コンテンツ・フィールドを含むMBMS周波数構造リストとを含む。
【００１７】
本発明の他の代表的実施形態に従う方法は、情報がそれに分散させられているところの複数のマルチメディア・ブロードキャスト／マルチキャスト・サービス（MBMS）隣接セル情報（MNCI）メッセージを受け取ることであって、その各々が、前記情報についてのチェンジ・マーク値と、周波数リスト番号、トレーニング・シーケンス・コード（TSC）、絶対無線周波数チャネル番号（ARFCN）、モバイル・アロケーション・インデックス・オフセット（MAIO）、及びホッピング・シーケンス番号（HSN）を含むMBMS p-t-m周波数パラメータ構造と、前記周波数リスト番号、周波数リスト・コンテンツの長さフィールド、及び周波数リスト・コンテンツ・フィールドを含むMBMS周波数構造リストと、を含む、前記受け取ることと、前記複数のMNCIメッセージから前記情報を統合するために前記チェンジ・マーク値を使用することと、を含む。
【００１８】
本発明の代表的実施形態の上記の及びその他の側面は、添付されている図面と関連させて以下の詳細な説明を読めばいっそう明らかとなる。
【詳細な説明】
【００１９】
本発明の代表的な非限定的実施形態は、MNCIメッセージにおいて情報を配置するためのコンピュータ・プログラムと、方法及び装置と、その情報が符号化される仕方とを開示する。本発明に従うMNCIメッセージの代表的実施形態は、別々のMNCIメッセージ・インスタンスで伝達される情報及びデータがインスタンス間で相互参照されることを可能にし、これにより相互メッセージ参照メカニズムを提供する。本発明の代わりの代表的実施形態は、その相互メッセージ参照メカニズムの使用を可能にするために一定のデータ要素をより小さなピースに分解或いは分割することを開示する。その結果として、本発明の代表的実施形態のこれらの側面の利用は、以下でより充分に記載されるように１つのMNCIメッセージ・インスタンスにおいて長さ制約無しでホッピング周波数パラメータを導入／符号化することに配慮している。
【００２０】
3GPP TS 44.018（添付書類J.3）は、GSM周波数帯域m内のnチャネルの周波数を表示するために何個のオクテットが必要かを記載している。次のこと、すなわち、隣接セルを特定するためにBSICが使用されなければならないこと、周波数ホッピングが使用されること、MBMSベアラがEGPRSを使用すること、アップリンク（移動局からネットワークへの）フィードバックが使用されること、及び、MBMS無線ベアラ起動時間が使用されること、を仮定して、MNCIメッセージにおいて１つのMBMS p-t-mチャネルを表示するために必要とされるスペースの計算が行われ得る。
【００２１】
これらの仮定が満たされる場合、MNCIメッセージに収容され得る周波数リスト情報要素の最大長さは10オクテットである。実際には、周波数リストIEの情報要素識別子（IEI）がしばしば含まれ、その結果として、最大長さは9オクテットに減らされる。しかし、3GPP TS 44.018（添付書類J.3）に従う周波数リストIEのIEIの省略は、10オクテットの周波数リスト情報を含めることを可能にする。
【００２２】
この長さの周波数リストでは、表示され得るチャネルの個数は割合に少なく、その結果として、この少数のチャネルが多くの展開されているネットワーク構成において不十分であることが判明する可能性がある。上記のように、本発明の代表的実施形態は、以下でより充分に記載されるように１つのMNCIメッセージ・インスタンスにおいて長さ制約無しでホッピング周波数パラメータを導入／符号化することに配慮している。
【００２３】
本発明の他の代表的実施形態は、（必要ならば）MBMS p-t-mベアラをMNCIメッセージの他のインスタンスに導入することに配慮しており、MBMS p-t-mベアラ記述参照ではMNCIメッセージの他のインスタンスに導入されている周波数パラメータを参照することが可能である。
【００２４】
本発明のこれらの代表的実施形態の使用は、ある場合にMBMS p-t-m記述を与えることができないという問題を更に解決し、これにより、MNCIメッセージの使用（従って、必要なインスタンスの量）を最少にすることを可能にすることによって高度の中継利得（trunking gain）を達成する。
【００２５】
実際には、上で論じられた利点の全てを提供するためにはMNCIメッセージの再配置は常に充分であるとは限らない。従って、本発明の代表的実施形態は、メッセージ・インスタンス間で情報を確実に参照するために各MNCIメッセージにチェンジ・マーク・フィールドを含め、これによりメッセージ"ピース"同士が整合することを保証する。本発明のMNCIメッセージの代表的実施形態のこの属性は、或る程度は、MBMSパラメータが本来動的であって"即座に"変化し得るということを認めて、提供される。更に、チェンジ・マーク・フィールドは他の目的にも使用される。
【００２６】
また、（MNCIメッセージ符号化において初めに目論まれたように）2セット以上の周波数パラメータの使用を可能にするために、各周波数パラメータ構造に識別子を割り当て、これに、その様なパラメータを参照するときに明瞭なリンクを作り得ることが好ましい。
【００２７】
更に、本発明の代表的実施形態は、情報の最大部分（周波数リスト）が（通例そうであるように）周波数パラメータ間で共有され、MAIO（及びおそらくはHSN）が別々に与えられ得て、これにより数オクテット（或る場合には約10オクテット）のスペースが節約されるように幾つかの異なる（MAIOによって）ホッピング周波数パラメータが伝達されアクセスされ得るという場合に用いられる付加的データ構造を導入する。
【００２８】
図2及び3を参照して本発明の代表的実施形態が説明される。図2はMBMS隣接セル情報メッセージ21において具体化された在来のMNCI符号化を示す。図3を参照すると、本発明に従う、MBMS隣接セル情報（MNCI）メッセージの代表的な非限定的実施形態、特にMNCIメッセージ31、が示されている。MNCIメッセージ31は、隣接セルにおいて特定のMBMSセッションに割り当てられたベアラの詳細を提供するためにPACCHでネットワークにより送られるオプションのメッセージである。MNCIメッセージ31は２つ以上のRLC／MAC制御ブロックにわたるように分割されない。情報の全てがMNCIメッセージ31の１つのインスタンスに収まらなければ、情報はMNCIメッセージ31の２つ以上のインスタンスに分散させられ得る。
【００２９】
図示されている代表的実施形態では、MNCIメッセージ31にチェンジ・マーク・フィールド33（＜MBMS_PTM_CHANGE_MARK：bit（2）＞）が含まれる。チェンジ・マーク・フィールド33は、特定の隣接セルについて与えられた情報についてのチェンジ・マーク値を含む。この情報は、MNCIメッセージ31の複数のインスタンスから情報を統合するために使用される。周波数リスト・フィールド35（＜MBMS Frequency List：＜MBMS Frequency List struct＞）は、FREQ_LIST_NUMBERフィールドを介して各々特定される、１つ以上の周波数リストを提供するために使われる別の繰り返し構造を明示する。周波数リスト・フィールド35の一部を形成するMBMS周波数リスト構造（MBMS Frequency List structure）のフォーマットは、周波数リスト構造定義36において定められる。
【００３０】
MNCIメッセージ21の周波数パラメータ情報要素の分解／置換に関連する情報はMBMS p-t-m周波数パラメータ・フィールト゛37(<MBMS p-t-m Frequency Parameters:<MBMS p-t-m Frequency Parameters struct>>)**0)に含まれている。MBMS p-t-m周波数パラメータ構造定義39に示されているように、TSCとホッピング無し／ホッピングのための（2つの選択肢を表すためには1ビットで充分なので）シングル・ビット選択とが定義されており、ここでホッピング無しはARFCNを意味し、ホッピングはMAIOと、HSNと、（FREQ_LIST_NUMBERフィールドを介しての）周波数リストへの参照とを意味する。
【００３１】
本発明の他の代表的な非限定的実施形態では、上で示されたようにフィールド33，35，37の異なる組み合わせがMNCIメッセージ31に含まれ得る。例えば、MBMS p-t-m周波数パラメータ・フィールド37の分解は不要であり得る。その様な場合には、構造の分解（分割）された部分（Frequency List（周波数リスト）フィールド35）ではなくて、Frequency Parameters（周波数パラメータ）フィールド23が参照される。
【００３２】
図1は、上記のMNCIメッセージ31の代表的実施形態を含む情報を無線リンク20を介して移動局10に送信するためのトランスミッタ9を有する基地局8に結合されたネットワーク要素2を有する無線通信ネットワーク1のブロック図を示す。ネットワーク要素2は適切にプログラミングされたデータ・プロセッサ4を含むと仮定され、そのプログラムはデータ・プロセッサ4により読まれ得るデータ記憶媒体5の上又は中に存在し、それは上で論じられたようにMNCIメッセージ31を構成するように作動する。ネットワーク要素2は、BSSの一部を形成することができ、より具体的にはPCUを含むことができるが、ネットワーク要素2の機能性はそのPCU或いはBSSに存在することには限定されない。移動局10はレシーバ12と適切にプログラミングされたデータ・プロセッサ14とを含むと仮定され、そのプログラムはデータ・プロセッサ14により読まれ得るデータ記憶媒体15の上又は中に存在し、それは、基地局トランスミッタ9から受け取られたMNCIメッセージ31の複数のインスタンスに正しく応答するように動作する。
【００３３】
一般的に、移動局10の種々の代表的実施形態は、セルラ電話機、無線通信能力を有するパーソナル・デジタル・アシスタント（PDA）、無線通信能力を有するポータブル・コンピュータ、無線通信能力を有するデジタル・カメラのような画像取り込み装置、無線通信能力を有するゲーム装置、無線通信能力を有する音楽記憶再生装置、無線インターネット・アクセス及びブラウジングを可能にするインターネット装置、及びこのような機能の組み合わせを組み込んだポータブル・ユニット又は端末装置を含むが、これらには限定されない。
【００３４】
本発明の代表的実施形態の使用は、例えば、或る一定数のホッピング・キャリヤとホッピング・リストで使われるキャリヤのARFCN範囲内の一定量のスパンとを有する、一定周波数帯域内のホッピング周波数パラメータを提供できないなどの、一定のネットワーク・ケースにおいてMBMS p-t-m記述を提供し得ないという問題を解決する。本発明の代表的実施形態の使用は、1メッセージあたりに数個のMBMS p-t-mベアラを導入することを容易にもする。
【００３５】
図4を参照すると、本発明の方法の代表的実施形態が示されている。ステップAにおいて、MNCIメッセージで送信されるべき情報の全てが１つのMNCIメッセージに収まらない場合には、その情報は複数のMNCIメッセージに分散させられる。ステップBにおいて、その複数のMNCIメッセージは移動局に送られる。
【００３６】
本発明の非限定的実施形態に従う装置、方法及びコンピュータ・プログラム製品に従って、ネットワーク要素により実行される技術が提供され、その技術では、全ての情報がMNCIメッセージ31の１つのインスタンスに収まらない場合に、その情報は、移動局に送られ或いは別の方法で伝えられるMNCIメッセージ31の２つ以上のインスタンスに分散させられる。
【００３７】
図5を参照すると、本発明の方法の他の代表的実施形態が示されている。ステップCにおいて、移動局は複数のMNCIメッセージを受け取り、その各々は、その複数のMNCIメッセージに分散させられた情報を参照するチェンジ・マーク値を有する。移動局は、その複数のMNCIメッセージに分散させられた情報を統合するためにチェンジ・マーク値を使う。ステップDにおいて、チェンジ・マーク値は、その複数のMNCIメッセージに分散させられた情報を統合するために使用される。
【００３８】
更に本発明の非限定的実施形態に従う装置、方法及びコンピュータ・プログラム製品に従って、移動局がMNCIメッセージの複数のインスタンスを受け取ってその受け取りに応答するための技術が提供され、この場合、所要の情報はMNCIメッセージ31のその複数のインスタンスに分散させられる。
【００３９】
代表的実施形態においてはMNCIメッセージ31は、チェンジ・マーク・フィールド33（MBMS_PTMCHANGE_MARK）と、MBMS p-t-m Frequency Parameters structure（MBMS p-t-m周波数パラメータ構造）定義39と、周波数リスト構造定義36（MBMS Frequency List structure）とを含む。MBMS p-t-m周波数パラメータ構造定義39は次のように、チェンジ・マーク・フィールド33の状態の関数と解される情報要素を含むことができる：
<TSC: bit(3)>
{0  <ARFCN:bit(10>
|1  <MAIO:bit(6)>
<HSN:bit(6)>
<FREQ_LIST_NUMBER:bit(2)>}
ここで、上記のように、MBMS周波数リスト構造定義36は下記の情報要素を含む：
<FREQ_LIST_NUMBER:bit(2)>
<Length of MBMS Frequency List contents:bit(4)>
<MBMS Frequency List Contents:octet(val(Length of MBMS Frequency List contents)+3)>
【００４０】
一般に、種々の代表的実施形態は、ハードウェア又は特別目的回路、ソフトウェア、ロジック又はこれらの任意の組み合わせで実現され得る。例えば、或る側面はハードウェアで実現され得、他の側面は、コントローラ、マイクロプロセッサ又は他の計算装置によって実行され得るファームウェア又はソフトウェアで実現され得るが、本発明はそれらに限定されない。本発明の種々の側面はブロック図、フローチャートとして或いは他の絵画表示を用いて示され記述され得るが、ここに記載されたこれらのブロック、装置、システム、技術又は方法が、非限定的な例として、ハードウェア、ソフトウェア、ファームウェア、特別目的回路又はロジック、汎用ハードウェア又はコントローラ又は他の計算装置、或いはそれらの何らかの組み合わせで実現され得ることは良く分かる。例えば、他の類似の又は同等の情報要素の使用と、MNCIメッセージにおける情報要素の異なる配列とが当業者により試みられ得る。しかし、本発明の教示のその様な改変及び類似の改変は全て依然として本発明の非限定的実施形態の範囲内に含まれるであろう。
【００４１】
本発明の実施形態は、集積回路モジュールのような種々のコンポーネントで実施され得る。集積回路の設計は、概して高度に自動化されたプロセスである。ロジック・レベルのデザインを、半導体基板上で直ぐにエッチングされて形成され得る半導体回路デザインに変換するために複雑で強力なソフトウェア・ツールを利用することができる。
【００４２】
カリフォルニア州マウンテンビューのシノプシス・インク（Synopsys, Inc.）及びカリフォルニア州サンノゼのカデンス・デザイン（Cadence Design）により提供されるもののようなプログラムは、良く確立されている設計規則と予め記憶された設計モジュールのライブラリとを用いて半導体チップ上で自動的に導体のルートを決定しコンポーネントを配置する。半導体回路のためのデザインが完成すると、得られたデザインは、製造のために、半導体製造設備或いは"製造工場（fab）"へ、標準化された電子フォーマット（例えば、オーパス（Opus）、GDSIIなど）によって送られることができる。
【００４３】
添付図面と関連して読まれる以上の記述の見地から、当業者にとっては種々の改変及び改作が明らかになるであろう。しかし、本発明の教示のどの様な改変も全て依然として本発明の非限定的実施形態の範囲内にあるであろう。
【００４４】
更に、本発明の種々の非限定的実施形態の特徴の幾つかは、他の特徴の対応する使用を伴わずに有利に使用され得る。この様な次第で、以上の記述は、本発明の原理、教示及び代表的実施形態を単に説明するものと解されるべきであって、これらを限定するものと解されるべきではない。
【図面の簡単な説明】
【００４５】
【図１】本発明の代表的実施形態を実施するための無線通信ネットワークの略ブロック図である。
【図２】当該技術において知られている情報を伝達するためのデータ構造／メッセージ・フォーマットの描写である。
【図３（Ａ）】図３の一部であり、図３（Ａ）〜図３（Ｃ）を合わせて図３を構成する。本発明の代表的実施形態に従う隣接セル情報を伝達するためのデータ構造／メッセージ・フォーマットの描写である。
【図３（Ｂ）】図３の一部であり、図３（Ａ）〜図３（Ｃ）を合わせて図３を構成する。本発明の代表的実施形態に従う隣接セル情報を伝達するためのデータ構造／メッセージ・フォーマットの描写である。
【図３（Ｃ）】図３の一部であり、図３（Ａ）〜図３（Ｃ）を合わせて図３を構成する。本発明の代表的実施形態に従う隣接セル情報を伝達するためのデータ構造／メッセージ・フォーマットの描写である。
【図４】本発明の代表的実施形態に従う方法のフローチャートである。
【図５】本発明の他の代表的実施形態に従う方法のフローチャートである。
【図１】
2008547249.tif 000003
【図２】
2008547249.tif 000004
【図３（Ａ）】
2008547249.tif 000005
【図３（Ｂ）】
2008547249.tif 000006
【図３（Ｃ）】
2008547249.tif 000007
【図４】
2008547249.tif 000008
【図５】
2008547249.tif 000009
【国際調査報告】
2008547249.tif 000010
2008547249.tif 000011
2008547249.tif 000012
2008547249.tif 000013